(57)【要約】【課題】船舶で仕掛けを曳きながらする釣りにおいて、船舶操縦の注意が散漫にならず海難事故の危険が減少し、体力的にも楽になり、仕掛けロープが絡んでしまう恐れが小さく、容易に扱える曳き釣り用アラーム発信器を提供することを目的とする。【解決手段】この曳き釣り用アラーム発信器１１は、仕掛けロープ７の途中に取り付けられる。魚が掛かったとき、この仕掛けロープ７の張力により、伸縮可能なハウジング１３が伸びる。その伸び量が所定寸法以上になったときに、ハウジング１３内部のスイッチ１５がＯＮになり、アラーム回路１７がアラームを発生する。外筒１９、内筒２１、バネ２３、内筒２１内部の電池５５を有するアラーム回路１７、外筒１９と内筒２１の間に設けられる接触端子６１，６７，６９、という簡単な構成で済む。【選択図】図1
2007006856.tif 000002
【特許請求の範囲】
【請求項１】
仕掛けロープの途中に取り付けられ、魚が掛かったときのこの仕掛けロープの張力により伸縮可能なハウジングと、このハウジングの内部に設けられアラームを発生するためのアラーム回路と、このアラーム回路上に設けられ、前記伸縮により伸び量が所定寸法以上になったときにＯＮになるスイッチと、を有することを特徴とする曳き釣り用アラーム発信器。
【請求項２】
前記ハウジングは、仕掛けロープが一端に連結される外筒と、この外筒の他端に形成される開放口と、前記開放口から前記外筒内へ同軸状態に収納され、軸方向に移動することで前記伸縮が可能で、他方の仕掛けロープが他端に連結される内筒と、略前記外筒の底部内側と前記内筒の収納側の端部を接続し前記張力により伸縮するバネと、を有してなり、前記アラーム回路は、前記内筒の内部に設けられる電池と、この電池を電源とするアラーム機器と、を有してなり、前記スイッチは、前記アラーム回路の一部を構成し、前記内筒の外側に露出して設けられる第1、及び第２移動接触端子と、前記外筒の内側面に設けられ、前記伸縮により伸び量が所定寸法以上になったときに前記第１移動接触端子が接触し、前記第２移動接触端子が常に接触する固定接触端子と、を有してなることを特徴とする請求項1に記載の曳き釣り用アラーム発信器。
【請求項３】
前記内筒は、開閉可能な金属性の密閉容器であり、前記第１移動接触端子は、前記密閉容器を水密的に貫通する金属製の爪であり、前記第２移動接触端子は、前記金属性の密閉容器の外側面部であり、前記固定接触端子は、前記外筒の内側面に設けられ、前記アラーム機器は音響スピーカーであることを特徴とする請求項２に記載の曳き釣り用アラーム発信器。
【請求項４】
前記外筒の前記開放口の縁部周囲と、前記内筒の他端周囲との間に、防水ジャバラが取り付けられていることを特徴とする請求項２、又は３に記載の曳き釣り用アラーム発信器。
【請求項５】
前記アラームは、音又は光によるものであることを特徴とする請求項1、２、又は４に記載の曳き釣り用アラーム発信器。
【発明の詳細な説明】
【技術分野】
【０００１】
この発明は、船舶で仕掛けを曳きながら釣りをする際に、魚が掛かったことを釣り人に知らせる曳き釣り用アラーム発信器の構造に関する。
【背景技術】
【０００２】
従来、曳き釣りと呼ばれる釣りは、船舶で仕掛けを曳きながら釣りをするもので、一般には、船舶から左、右、又は左右に、アウトリガーと呼ばれる竿を大きく差し出し、この竿に仕掛けをつける。1本の竿につける仕掛けは、一つまたは複数である。各仕掛けは、仕掛けロープの下端に取り付けられた釣り針に、疑似餌や生餌が仕掛けられる。仕掛けロープの途中には、略直角に、寄せロープが結び付けられ、船舶の上の釣り人が寄せロープを手に持つことで、仕掛けを手繰り寄せられる。
【０００３】
この明細書では、曳き釣りには、船舶の後尾から1本の竿を差し出して、この竿に仕掛けをつけ、曳きながら釣りをするものも含むものとする。さらに、竿を用いずに、船縁から直接に仕掛けを海中にたらして、曳きながら釣りをするもの含むものとする。
このような曳き釣りでは、釣り人は、魚が掛かったことを、竿の撓り、仕掛けの途中に設けられるクッションゴムの伸び、又は仕掛けの浮き沈みで、知る。
【０００４】
なお、通常の丘釣りで使用される竿に設けられ、魚が掛かったことを釣り人に知らせる装置は、下記の特許文献１、２などに記載される。すなわち、竿の手元に備えられるリールから巻き出された道糸は、竿に沿って導かれ、竿の先端から海中などに伸び、下端には釣り針に、疑似餌や生餌が仕掛けられる。そして、前記装置は、リールの位置よりも竿の先端側に設けられ、ぴんと張った道糸の方向をやや変える形で、道糸の途中に、装置のアームが引っ掛けられて接する。魚がかかると、道糸の張力が大きくなるので、アームに加わる力が大きくなり、アームの角度などが変位し、装置のスイッチが入り、ブザーなどが鳴る。
【特許文献１】特開平10-201407
【特許文献２】実開平7-43031
【発明の開示】
【発明が解決しようとする課題】
【０００５】
しかしながら、曳き釣りでは、船舶の操縦も同時に行う釣り人は、魚が掛かったことを知るために、竿の撓り、仕掛けの途中に設けられるクッションゴムの伸び、又は仕掛けの浮き沈みを、目視で確認せねばならず、船舶の左右や後方への注意を強いられていた。このため船舶の前方への注意が散漫になり、海難事故の危険が付きまとっていた。
【０００６】
また、船舶の操縦も同時に行う釣り人は、船舶の陀輪（操縦ハンドル）を前向きの姿勢で持ちながら、体をひねって船舶の左右や後方へ常に注意を払わなければならず、体力的にも過酷な作業を行っていた。
【０００７】
特許文献１、２の装置を、曳き釣りに使用しようとすると、海上での風や波の影響を受け船舶は絶えず揺れ動くため、仕掛けロープが、この装置や装置のアームに絡んでしまう恐れが高い。また、仕掛けを交換した際などは、その度に、道糸に相当する仕掛けロープを、装置のアームに引っ掛ける作業を行わなければならず、特にアウトリガーと呼ばれる固定された竿を用いる場合には、作業が不可能、あるいは面倒になる。
【０００８】
この発明は、以上の問題点を解決するために、注意が散漫にならず海難事故の危険が減少し、体力的にも楽になり、仕掛けロープが絡んでしまう恐れが小さく、容易に扱える曳き釣り用アラーム発信器を提供することを目的とする。
【課題を解決するための手段】
【０００９】
以上の課題を解決するために、第一発明は、仕掛けロープの途中に取り付けられ、魚が掛かったときのこの仕掛けロープの張力により伸縮可能なハウジングと、このハウジングの内部に設けられアラームを発生するためのアラーム回路と、このアラーム回路上に設けられ、前記伸縮により伸び量が所定寸法以上になったときにＯＮになるスイッチと、を有することを特徴とする曳き釣り用アラーム発信器である。
【００１０】
第二発明は、さらに、前記ハウジングは、仕掛けロープが一端に連結される外筒と、この外筒の他端に形成される開放口と、前記開放口から前記外筒内へ同軸状態に収納され、軸方向に移動することで前記伸縮が可能で、他方の仕掛けロープが他端に連結される内筒と、略前記外筒の底部内側と前記内筒の収納側の端部を接続し前記張力により伸縮するバネと、を有してなり、前記アラーム回路は、前記内筒の内部に設けられる電池と、この電池を電源とするアラーム機器と、を有してなり、前記スイッチは、前記アラーム回路の一部を構成し、前記内筒の外側に露出して設けられる第1、及び第２移動接触端子と、前記外筒の内側面に設けられ、前記伸縮により伸び量が所定寸法以上になったときに前記第１移動接触端子が接触し、前記第２移動接触端子が常に接触する固定接触端子と、を有してなることを特徴とする曳き釣り用アラーム発信器である。
【００１１】
第三発明は、さらに、前記内筒は、開閉可能な金属性の密閉容器であり、前記第１移動接触端子は、前記密閉容器を水密的に貫通する金属製の爪であり、前記第２移動接触端子は、前記金属性の密閉容器の外側面部であり、前記固定接触端子は、前記外筒の内側面に設けられ、前記アラーム機器は音響スピーカーであることを特徴とする曳き釣り用アラーム発信器である。
【００１２】
第四発明は、さらに、前記外筒の前記開放口の縁部周囲と、前記内筒の他端周囲との間に、防水ジャバラが取り付けられていることを特徴とする曳き釣り用アラーム発信器である。
第五発明は、さらに、前記アラームは、音又は光によるものであることを特徴とする曳き釣り用アラーム発信器である。
【発明の効果】
【００１３】
第一、第二、第三、第四、又は第五発明によれば、魚が掛かったとき、曳き釣り用アラーム発信器の伸縮可能なハウジングは、仕掛けロープの張力により伸び、これによりスイッチがＯＮになり、ハウジング内部のアラーム回路がアラームを発生する。このための竿の撓り、仕掛けの途中に設けられるクッションゴムの伸び、又は仕掛けの浮き沈みを、目視で常に確認する必要がなくなり、船舶前方への注意が散漫にならずに済み、海難事故の危険が減少する。
【００１４】
また、確認のための体をひねる動作も減らすことができ、体力的にも楽になる。また、この曳き釣り用アラーム発信器は、仕掛けロープの途中に取り付けられるので、特許文献１、２のように竿に装置やアームが設けられるものに比べ、仕掛けロープが絡んでしまう恐れが小さい。さらに、仕掛けを交換した際などに、特許文献１、２のように竿に設けられた装置に仕掛けロープを引っ掛ける作業をする必要などが全くなく、曳き釣り用アラーム発信器への操作は要らず、容易に扱える。
【００１５】
第二、第三、第四、又は第五発明によれば、さらに、外筒、内筒、バネ、内筒内部の電池を有するアラーム回路、外筒と内筒の間に設けられる接触端子、という簡単な構成で曳き釣り用アラーム発信器を実現でき、製造コストを抑えることができる。
【００１６】
第三、又は第四発明によれば、さらに、内筒を開閉可能な金属性の密閉容器とすることで、内部のアラーム回路を海水などから十分に保護できる。また、第２移動接触端子を、内筒である金属性の密閉容器の外側面部とし、固定接触端子を、外筒の金属製の内側面とすることで、接触端子の部品を減らすことができ、製造コストを抑え、部品の故障による不具合の発生を抑えることができる。
【００１７】
さらに、アラーム機器を音響スピーカーとすることで、魚が掛かったことを音で知らせてくれるので、船舶の操縦も同時に行う釣り人は、竿の撓り、仕掛けの途中に設けられるクッションゴムの伸び、又は仕掛けの浮き沈みを、目視で常に確認する必要がさらになくなり、船舶前方への注意が散漫にならずに済み、海難事故の危険が減少する。また、確認のための体をひねる動作もさらに減らすことができ、体力的にもさらに楽になる。
【００１８】
第四、又は第五発明によれば、さらに、防水ジャバラが取り付けられていることから、外筒と内筒の間から、外筒内部へ海水などが浸入するのを防止でき、接触端子などの錆の発生などによる不具合を防止できる。
【発明を実施するための最良の形態】
【００１９】
この発明の実施形態を、図１から図６に示す。
（概略）
図３，４，５に示すように、船舶１から左右に、アウトリガーと呼ばれる竿３を大きく差し出し、この竿３に仕掛け５をつける。1本の竿３につける仕掛け５は、二つである。各仕掛け５は、仕掛けロープ７の下端に取り付けられた釣り針９に、疑似餌又は生餌が仕掛けられる。仕掛けロープ７の途中には、略直角に、寄せロープ７Ａが結び付けられ、船舶１の上の釣り人が寄せロープ７Ａを手に持つことで、仕掛け５を手繰り寄せられる。
【００２０】
図３，２，１に示すように、この実施形態の曳き釣り用アラーム発信器１１は、仕掛けロープ７の途中に取り付けられる。魚が掛かったとき、この仕掛けロープ７の張力により、伸縮可能なハウジング１３が伸びる。その伸び量が所定寸法以上になったときに、ハウジング１３内部のスイッチ１５がＯＮになり、アラーム回路１７がアラームを発生する。
【００２１】
すなわち、伸縮可能なハウジング１３の内部に、アラームを発生するためのアラーム回路１７が設けられる。このアラーム回路１７上に設けられるスイッチ１５が、ハウジング１３の伸び量が所定寸法以上になったときに、ＯＮになる。
【００２２】
（曳き釣り用アラーム発信器１１）
（ハウジング１３）
図２，１に示すように、ハウジング１３は、外筒１９、内筒２１、バネ２３を有する。すなわち、外筒１９は、筒状の外筒本体２５の一端に、外筒用外蓋２７がネジにより取り付けられる。この外筒用外蓋２７に、仕掛けロープ７を通す第1リング２９が設けられる。これにより、竿３側の仕掛けロープ７が、外筒１９の一端に連結される。外筒１９の他端には、開放口３１が形成される。この開放口３１から外筒１９内へ、内筒２１が同軸状態に収納される。内筒２１が、外筒１９内を軸方向に移動することで、ハウジング１３の伸縮が可能となる。
【００２３】
この内筒２１は、開閉可能な金属性の密閉容器である。すなわち、一方が開放された内筒本体３３に対し、防水用ゴムシール３５を介して、円筒状の内蓋３７がされて、内筒本体３３の内部の水密が確保され、さらに、この内蓋３７の外端部に、内筒用外蓋３９が取り付けられる。この内筒用外蓋３９に、仕掛けロープ７を通す第２リング４１が設けられる。このようにして、釣り針９側の仕掛けロープ７が、内筒２１の他端、すなわち前記収納される側と反対側の端に連結される。
【００２４】
外筒１９の底部内側と内筒２１の収納側の端部を、ステンレス製のバネ２３が接続する。すなわち、外筒１９の内側底部となる外筒用外蓋２７の内側に、バネ２３の一端を係止する係止バー４３が設けられ、内筒本体３３の底部外側にバネ２３の他端を係止する係止リング４５が設けられる。このバネ２３が仕掛けロープ７の張力により伸縮し、よって張力に比例したハウジング１３の伸縮を生じる。
【００２５】
曳き釣りにおいて、魚がかかっていない通常の張力は、0から2.5ｋｇの間で複雑な変動をする。カツオやマグロあるいはそれ以上大型の魚が掛かると、張力は、4から5ｋｇ以上の張力になる。よって、バネ２３の選定は、張力が例えば３．５ｋｇ以上になると、後述するスイッチ１５がＯＮになるように設定する。この設定は、狙う魚の種類によって変えることができる。
【００２６】
内筒２１の外側面には、内筒２１の回り止めを行う突起４７が形成され、外筒１９の側面には、この突起４７が往復動するスリット４９が形成される。スリット４９の外側は、スリットカバー５１によって覆われ、水密が維持される。
外筒１９の開放口３１の縁部周囲と、内筒２１の他端周囲との間に、防水ジャバラ５３が取り付けられている。すなわち、外筒１９の開放口３１の縁部周囲には、防水ジャバラ５３の一端が水密的に被せられ、内筒２１の他端周囲には、防水ジャバラ５３の一端が水密的に被せられる。
【００２７】
（アラーム回路１７）
図１に示すように、アラーム回路１７は、金属性の容器である内筒２１と、この内筒２１の内部において設けられる電池５５、この電池５５を電源とするアラーム機器５７など、が電気的に接続されてなる。すなわち、内筒２１の内部において、電池５５の一方の極が内筒２１の内壁に接続され、他の極が音響発信回路５９に接続された後に、第１移動接触端子６１である金属製の爪６３に接続する。
【００２８】
この爪６３は、内筒２１を水密的に貫通する。この貫通部位の外周には、絶縁ゴム製のスリーブ６５が設けられる。爪６３は、全体が弾性を有し、Ｖ字形状の下端が、固定接触端子６７に接触し、スイッチ１５が構成される。この固定接触端子６７は外筒１９の内側面に設けられ、外筒１９の奥側の一部が硬質プラスチックで絶縁され絶縁部６７Ａになり、これにより、伸縮可能なハウジング１３の伸び量が所定寸法以上になったとき、すなわち、外筒１９に対して内筒２１が図中右へ所定寸法以上移動したときに、第１移動接触端子６１は固定接触端子６７の絶縁されていない部分６７Ｂへ接触し、スイッチ１５がＯＮになる。
【００２９】
この固定接触端子６７の絶縁されていない部分は、内筒２１の外側面部である第２移動接触端子６９が常に接触する。内筒２１は、前述したように、電池５５の一方のへ接続されている。
音響発信回路５９から、アラーム機器５７である音響スピーカーに所定の電圧、信号が供給される。
【００３０】
「実施形態の効果」
この実施形態によれば、魚が掛かったとき、曳き釣り用アラーム発信器１１の伸縮可能なハウジング１３は、仕掛けロープ７の張力によりバネ２３が伸びることで、伸び、第１移動接触端子６１は固定接触端子６７の絶縁されていない部分へ接触し、スイッチ１５がＯＮになり、ハウジング１３内部のアラーム回路１７がアラーム音を発生する。
そして、魚を外し、張力がなくなると、バネ２３が縮むことで、スイッチ１５がＯＦＦになり、アラーム音は自動的に消える。
【００３１】
このため、船舶１の操縦も同時に行う釣り人は、竿３の撓り、仕掛け５の途中に設けられるクッションゴムの伸び、又は仕掛け５の浮き沈みを、目視で常に確認する必要がない。よって、船舶１前方への注意が散漫にならずに済み、海難事故の危険が減少する。また、確認のための体をひねる動作も減らすことができ、体力的にも楽になる。
【００３２】
また、この曳き釣り用アラーム発信器１１は、仕掛けロープ７の途中に取り付けられるので、特許文献１、２のように竿３に装置やアームが設けられるものに比べ、風や波の影響を受け絶えず揺れ動く仕掛けロープ７が、絡んでしまう恐れが小さい。
【００３３】
そもそも、海上での曳き釣りは、風や波の影響を強く受け、船体や仕掛けは絶えず、大きく揺れ動き、ロープ、糸、あるいは紐が絡んでしまうトラブルが起きやすい。このため、仕掛けロープなどが、竿３の装置やアームに絡むことはできるだけ用心しなければならない。この実施形態では、曳き釣り用アラーム発信器１１を、仕掛けロープ７の途中で、竿３の近くに取り付けることで、特に絡み難くした。
【００３４】
さらに、仕掛け５を交換した際などに、特許文献１、２のように竿３に設けられた装置に仕掛けロープ７を引っ掛ける作業をする必要などが全くない。すなわち、曳き釣り用アラーム発信器１１への操作は要らず、容易に扱える。
【００３５】
さらに、外筒１９、内筒２１、バネ２３、内筒２１内部の電池５５を有するアラーム回路１７、外筒１９と内筒２１の間に設けられる接触端子、という簡単な構成で、曳き釣り用アラーム発信器１１を実現でき、製造コストを抑えることができる。
さらに、内筒２１を開閉可能な金属性の密閉容器とすることで、内部のアラーム回路１７を海水などから十分に保護できる。
【００３６】
また、第２移動接触端子６９を、内筒２１である金属性の密閉容器の外側面部とし、固定接触端子６７を、外筒１９の金属製の内側面とすることで、接触端子の部品を減らすことができる。よって、製造コストを抑え、部品の故障による不具合の発生を抑えることができる。
【００３７】
さらに、アラーム機器５７を音響スピーカーとすることで、魚が掛かったことを音で知らせてくれる。よって、船舶１の操縦も同時に行う釣り人は、竿３の撓り、仕掛け５の途中に設けられるクッションゴムの伸び、又は仕掛け５の浮き沈みを、目視で常に確認する必要がさらになくなる。このため、船舶１前方への注意が散漫にならずに済み、海難事故の危険が減少する。また、確認のための体をひねる動作もさらに減らすことができ、体力的にもさらに楽になる。
【００３８】
さらに、防水ジャバラ５３が取り付けられていることから、外筒１９と内筒２１の間から、外筒１９内部へ海水などが浸入するのを防止でき、接触端子などの錆の発生などによる不具合を防止できる。
この曳き釣り用アラーム発信器１１は、大物が掛かる曳き釣りで使用するため、強固な構造を必要とするが、金属製の外筒１９、内筒２１、ステンレス製のバネ２３を使用することで、対応が可能である。  
【００３９】
「他の実施形態」
以上の実施形態では、外筒１９と内筒２１との間に、防水ジャバラ５３が取り付けられるものであったが、他の実施形態では、内筒２１と外筒１９の全体を一つの伸縮可能な防水の袋で覆い、第１、第２のリングだけを袋から水密的に露出するものでも良い。
【００４０】
以上の実施形態では、第１移動接触端子６１は、金属製の爪６３であったが、他の実施形態では、第２移動接触端子６９と同様に、金属性の内筒２１の外側面部でもよい。この場合には、内筒２１は部分的に金属で他の部分は絶縁材からなるものとし、この絶縁材によって、第１移動接触端子６１と、第２移動接触端子６９とは分割されるものとする。
【００４１】
以上の実施形態では、第１移動接触端子６１だけが、金属製の爪６３であったが、他の実施形態では、第１移動接触端子６１と同様に、第２移動接触端子６９も、金属製の爪６３とすることもできる。この場合には、内筒２１の固定接触端子６７は、第１移動接触端子６１と第２移動接触端子６９とが接触する部分に、円周方向に分かれ、それぞれが軸方向に長い半島状に形成される。そして、ハウジング１３の伸び量が所定寸法以上になったときに、やや短い半島状の第１移動接触端子６１が接触し、長い半島状の第２移動接触端子６９が常に接触する。
【００４２】
以上の実施形態では、アラーム機器５７は音響スピーカーであったが、他の実施形態では、点滅光などを発する発光装置であっても良い。
以上の実施形態では、曳き釣り用アラーム発信器１１は、竿３の仕掛けロープに取り付けられたが、他の実施形態では竿ではなく、例えば船縁から直接に仕掛けを海中にたらす際の仕掛けロープに取り付けることも可能である。
【図面の簡単な説明】
【００４３】
【図１】この発明の一実施形態を示す曳き釣り用アラーム発信器の縦断面図である。
【図２】図１の斜視図（一部透視図）である。
【図３】図１曳き釣り用アラーム発信器を用いて、曳き釣りを行う船舶の平面図である。
【図４】図３の側面図である。
【図５】図４の斜視図である。
【図６】図４における曳き釣り用アラーム発信器の斜視図である。
【符号の説明】
【００４４】
１…船舶、３…竿、５…仕掛け、７…ロープ、９…針、１１…用アラーム発信器、１３…ハウジング、１５…スイッチ、１７…アラーム回路、１９…外筒、２１…内筒、２３…バネ、２５…外筒本体、２７…外筒用外蓋、２９…リング、３１…開放口、３３…内筒本体、３５…防水用ゴムシール、３７…内蓋、３９…内筒用外蓋、４１…第２リング、４３…係止バー、４５…係止リング、４７…突起、４９…スリット、５１…スリットカバー、５３…防水ジャバラ、５５…電池、５７…アラーム機器、５９…音響発信回路、６１…第１移動接触端子、６３…爪、６５…スリーブ、６７…固定接触端子、６９…第２移動接触端子。
【図１】
2007006856.tif 000003
【図２】
2007006856.tif 000004
【図３】
2007006856.tif 000005
【図４】
2007006856.tif 000006
【図５】
2007006856.tif 000007
【図６】
2007006856.tif 000008